(57)【要約】 【課題】  面状発光体を簡素な構造によって安定した状態で保持する。【解決手段】  厚み方向における少なくとも一方の面が光を出射する出光面として形成され屈曲可能な面状発光体２０と、面状発光体を厚み方向における両側から挟んだ状態で結合される第１の保持体２１及び第２の保持体２２とを備え、面状発光体は少なくとも一部が屈曲された状態で第１の保持体と第２の保持体によって保持される。これにより、面状発光体が第１の保持体と第２の保持体によって厚み方向における両側から挟まれることにより屈曲された状態で保持される。【選択図】図４
2018160449.tif 000002
【特許請求の範囲】
【請求項１】
厚み方向における少なくとも一方の面が光を出射する出光面として形成され屈曲可能な面状発光体と、
前記面状発光体を前記厚み方向における両側から挟んだ状態で結合される第１の保持体及び第２の保持体とを備え、
前記面状発光体は少なくとも一部が屈曲された状態で前記第１の保持体と前記第２の保持体によって保持される
灯具。
【請求項２】
前記面状発光体に挿通孔が形成され、
前記第１の保持体又は前記第２の保持体の少なくとも一方に前記挿通孔に挿通される挿通ピンが設けられ、
前記挿通孔に前記挿通ピンが挿通された状態で前記面状発光体が保持される
請求項１に記載の灯具。
【請求項３】
前記面状発光体における前記挿通孔が形成された部分が孔形成部として設けられ、
前記孔形成部の周囲の一部にスリットが形成され、
前記孔形成部が前記孔形成部以外の部分に対して折曲可能にされた
請求項２に記載の灯具。
【請求項４】
前記第１の保持体には内側が空間にされた枠状部が設けられ、
前記第２の保持体には内側が空間にされた環状部が設けられ、
前記枠状部と前記環状部が前記面状発光体を前記厚み方向における両側から挟んだ状態で結合される
請求項１、請求項２又は請求項３に記載の灯具。
【請求項５】
前記面状発光体に端子部を有する導電層が設けられ、
前記端子部に配線板の接続端子部が接続され、
前記第１の保持体又は前記第２の保持体の少なくとも一方の一部によって前記接続端子部が覆われる
請求項１、請求項２、請求項３又は請求項４に記載の灯具。
【請求項６】
前記面状発光体に端子部を有する導電層が設けられ、
前記端子部に配線板の接続端子部が接続され、
前記配線板の厚み方向における両側に前記第１の保持体の一部と前記第２の保持体の一部とが前記配線板に対向して位置される
請求項１、請求項２、請求項３又は請求項４に記載の灯具。
【請求項７】
前記第１の保持体と前記第２の保持体のそれぞれに前記面状発光体を挟む基部と前記配線板の少なくとも一部を保護する保護部とが設けられ、
前記第１の保持体又は前記第２の保持体の少なくとも一方の前記基部と前記保護部が一体に形成されている
請求項６に記載の灯具。
【発明の詳細な説明】
【技術分野】
【０００１】
本発明は、屈曲可能な面状発光体を有する灯具についての技術分野に関する。
【先行技術文献】
【特許文献】
【０００２】
【特許文献１】ＷＯ２０１５／０９８８２２号公報
【背景技術】
【０００３】
灯具、例えば、車輌用灯具には面状発光体が用いられたものがある（例えば、特許文献１参照）。特許文献１に記載された灯具においては、平板状の面状発光体が枠状部材や弾性部材等によって保持されている。
【０００４】
ところで、近年、有機ＥＬ（Electro Luminescence）層を有する面状発光体や発光ダイオードが導電層やフィルムによって挟持されて構成された面状発光体に関する技術が向上し、屈曲可能な面状発光体の開発も進展している。
【０００５】
このような屈曲可能な面状発光体を、例えば、車輌用灯具に用いる場合には、車体の形状に応じて面状発光体を屈曲させることが可能になり、車輌用灯具の種類に関する使用用途の拡大や設計の自由度の向上を図ることができる。
【発明の概要】
【発明が解決しようとする課題】
【０００６】
ところが、屈曲可能な面状発光体を用いる場合には、屈曲された面状発光体が屈曲前の元の状態に戻ろうとする弾性を有しているものも多く、面状発光体の屈曲された状態を保持する保持構造が必要である。また、製造コストの低減等を図るためには、簡素な保持構造によって安定した状態で面状発光体を保持することも望まれる。
【０００７】
そこで、本発明は、面状発光体を簡素な構造によって安定した状態で保持することを目的とする。
【課題を解決するための手段】
【０００８】
第１に、本発明に係る灯具は、厚み方向における少なくとも一方の面が光を出射する出光面として形成され屈曲可能な面状発光体と、前記面状発光体を前記厚み方向における両側から挟んだ状態で結合される第１の保持体及び第２の保持体とを備え、前記面状発光体は少なくとも一部が屈曲された状態で前記第１の保持体と前記第２の保持体によって保持されるものである。
【０００９】
これにより、面状発光体が第１の保持体と第２の保持体によって厚み方向における両側から挟まれることにより屈曲された状態で保持される。
【００１０】
第２に、上記した本発明に係る灯具においては、前記面状発光体に挿通孔が形成され、前記第１の保持体又は前記第２の保持体の少なくとも一方に前記挿通孔に挿通される挿通ピンが設けられ、前記挿通孔に前記挿通ピンが挿通された状態で前記面状発光体が保持されることが望ましい。
【００１１】
これにより、挿通孔に挿通ピンが挿通されることにより、面状発光体が第１の保持体と第２の保持体から脱落しない。
【００１２】
第３に、上記した本発明に係る灯具においては、前記面状発光体における前記挿通孔が形成された部分が孔形成部として設けられ、前記孔形成部の周囲の一部にスリットが形成され、前記孔形成部が前記孔形成部以外の部分に対して折曲可能にされることが望ましい。
【００１３】
これにより、孔形成部を挿通ピンの突出方向に合わせて折り曲げた状態で挿通孔に挿通ピンを挿通することが可能になる。
【００１４】
第４に、上記した本発明に係る灯具においては、前記第１の保持体には内側が空間にされた枠状部が設けられ、前記第２の保持体には内側が空間にされた環状部が設けられ、前記枠状部と前記環状部が前記面状発光体を前記厚み方向における両側から挟んだ状態で結合されることが望ましい。
【００１５】
これにより、面状発光体は環状の領域が第１の保持体と第２の保持体に両側から押さえられた状態で保持される。
【００１６】
第５に、上記した本発明に係る灯具においては、前記面状発光体に端子部を有する導電層が設けられ、前記端子部に配線板の接続端子部が接続され、前記第１の保持体又は前記第２の保持体の少なくとも一方の一部によって前記接続端子部が覆われることが望ましい。
【００１７】
これにより、面状発光体を保持する機能を有する第１の保持体によって接続端子部が覆われるため、接続部分を覆う専用の部材を必要としない。
【００１８】
第６に、上記した本発明に係る灯具においては、前記面状発光体に端子部を有する導電層が設けられ、前記端子部に配線板の接続端子部が接続され、前記配線板の厚み方向における両側に前記第１の保持体の一部と前記第２の保持体の一部とが前記配線板に対向して位置されることが望ましい。
【００１９】
これにより、第１の保持体と第２の保持体によって配線板が保護される。
【００２０】
第７に、上記した本発明に係る灯具においては、前記第１の保持体と前記第２の保持体のそれぞれに前記面状発光体を挟む基部と前記配線板の少なくとも一部を保護する保護部とが設けられ、前記第１の保持体又は前記第２の保持体の少なくとも一方の前記基部と前記保護部が一体に形成されていることが望ましい。
【００２１】
これにより、第１の保持体と第２の保持体の基部によって面状発光体が挟まれて保持され、少なくとも一方の基部と一体に形成された保護部によって配線板が保護される。
【発明の効果】
【００２２】
本発明によれば、面状発光体が第１の保持体と第２の保持体によって厚み方向における両側から挟まれることにより屈曲された状態で保持されるため、面状発光体を簡素な構造によって安定した状態で保持することができる。
【図面の簡単な説明】
【００２３】
【図１】図２乃至図１２と共に本発明灯具の実施の形態を示すものであり、本図は、第１のランプユニットを備えた灯具の構成例を示す垂直断面図である。
【図２】第１のランプユニットを備えた灯具の構成例を示す正面図である。
【図３】第２のランプユニットを示す分解斜視図である。
【図４】第２のランプユニットを示す平面図である。
【図５】第３のランプユニットを示す分解斜視図である。
【図６】第３のランプユニットを示す断面図である。
【図７】第４のランプユニットを示す分解斜視図である。
【図８】第４のランプユニットを示す断面図である。
【図９】第４のランプユニットの変形例を示す断面図である。
【図１０】第５のランプユニットを示す分解斜視図である。
【図１１】第５のランプユニットを示す側面図である。
【図１２】第５のランプユニットの変形例を示す側面図である。
【発明を実施するための形態】
【００２４】
以下に、本発明灯具を実施するための形態について添付図面を参照して説明する。
【００２５】
以下に示した実施の形態は、本発明灯具を後方に照明光を照射する車輌用灯具に適用したものである。尚、本発明は、ヘッドランプ、テールランプ、クリアランスランプ、ターンシグナルランプ、ストップランプ、デイタイムランニングランプ、コーナーリングランプ、ハザードランプ、ポジションランプ、バックランプ、フォグランプ又はこれらの組み合わせであるコンビネーションランプ等の各種の車輌用灯具に広く適用することができる。
【００２６】
以下の説明にあっては、光の外部への照射方向を後方として前後上下左右の方向を示すものとする。但し、以下に示す前後上下左右の方向は説明の便宜上のものであり、本発明の実施に関しては、これらの方向に限定されることはない。
【００２７】
＜第１のランプユニットを備えた灯具の構成例＞
以下に、第１のランプユニットを備えた灯具１の構成例について説明する（図１及び図２参照）。灯具１は、それぞれ車体の左右両端部に取り付けられて配置されている。灯具１は後方に開口された凹部を有するランプハウジング２とランプハウジング２の開口を閉塞するカバー３とを備えている。ランプハウジング２とカバー３によって灯具外筐４が構成され、灯具外筐４の内部空間が灯室５として形成されている。
【００２８】
灯室５にはリフレクター６が配置されている。リフレクター６は上下方向を向く板状のベース面部７とベース面部７の後端部から略下方に突出された反射部８とを有している。反射部８の後面は下端部を除き反射面８ａとして形成されている。
【００２９】
灯室５には第１のランプユニット９が配置されている。第１のランプユニット９は面状発光体１０と第１の保持体１１と第２の保持体１２を有し、リフレクター６の上側から後側に亘る位置に配置されている。
【００３０】
面状発光体１０は、例えば、透明な一対の樹脂フィルムの間に光源として複数のＬＥＤ（発光ダイオード）が配置された屈曲可能なフィルム状の発光体であり、各光源からそれぞれ光が出射される構成にされている。面状発光体１０は、例えば、特開２０１５−２０１３０１号公報に示されるように、接着層の両側にそれぞれ導電層が積層され導電層の外面側にそれぞれベースフィルムが積層され、厚み方向において接着層と同一の位置に複数のＬＥＤが点在して配置されている。
【００３１】
面状発光体１０は光源（ＬＥＤ）を除いて透明に形成され、後面が出光面として形成されている。第１の保持体１１と第２の保持体１２は、例えば、透明な樹脂材料によって形成され、面状発光体１０は第１の保持体１１と第２の保持体１２に厚み方向において挟持されて保持されている。面状発光体１０には導電層に図示しないフレキシブルプリント配線板の一端部が接続され、面状発光体１０の各光源にはフレキシブルプリント配線板と導電層を介して電源から電力が供給される。
【００３２】
尚、面状発光体１０としては、例えば、自発光する有機ＥＬ（Electro Luminescence）層を有する屈曲可能な有機ＥＬパネルが用いられていてもよい。
【００３３】
灯室５の上端側には導光体１３が配置され、導光体１３はランプハウジング２の上面部に取り付けられている。導光体１３は前端に形成され前方を向く入射面１３ａと中間部に形成され入射面１３ａに対して傾斜された内面反射面１３ｂと後端かつ下端に形成され下方を向く出射面１３ｃとを有している。
【００３４】
導光体１３の前側には基板１４に搭載された発光部１５が配置され、発光部１５としては、例えば、ＬＥＤが用いられている。基板１４はランプハウジング２の上端部に取り付けられている。また、第１の保持体１１と第２の保持体１２の前端面に対向する位置には基板１６に搭載された発光部１７が配置され、発光部１７としては、例えば、ＬＥＤが用いられている。尚、基板１６と発光部１７は面状発光体１０から十分な光が出射される場合には設けられていなくてもよい。
【００３５】
発光部１５から光が出射されると、出射された光が入射面１３ａから導光体１３に入射され、内面反射面１３ｂで内面反射されて出射面１３ｃからリフレクター６の反射面８ａへ向けて出射され、第１のランプユニット９を透過されて反射面８ａで反射され、再び第１のランプユニット９を透過されカバー３を介して後方へ照射される（図１に示す光Ｌ１）。出射された光は、例えば、ストップランプ用の光として照射される。
【００３６】
一方、面状発光体１０の各光源から光が出射されると、出射された光が面状発光体１０からカバー３を介して後方へ照射される（図１に示す光Ｌ２）。出射された光は、例えば、テールランプ用の光として照射される。また、このとき発光部１７から光が出射されると、出射された光が透明な材料によって形成されている第１の保持体１１と第２の保持体１２の内部を導かれると共に第１の保持体１１と第２の保持体１２の各部から出射され、カバー３を介して、例えば、テールランプ用の光として後方へ照射される。
【００３７】
＜第２のランプユニット＞
次に、第２のランプユニットについて説明する（図３及び図４参照）。
【００３８】
第２のランプユニット１９は面状発光体２０と第１の保持体２１と第２の保持体２２とインナーレンズ２３を有している。
【００３９】
面状発光体２０は面状発光体１０と同様の層構成及び構造にされて後面が出光面として形成され、屈曲可能にされている。面状発光体２０の上下両端部にはそれぞれ左右に離隔して挿通孔２０ａ、２０ａ、・・・が形成されている。面状発光体２０の上下両端部には位置決め孔２０ｂ、２０ｂ、・・・が形成されている。位置決め孔２０ｂ、２０ｂ、・・・は、例えば、二つずつが反対側の端部に形成され、二つずつがそれぞれ二つの挿通孔２０ａ、２０ａ間に位置されている。
【００４０】
面状発光体２０には光源２４、２４、・・・と光源２５、２５、・・・が点在して配置されている。光源２４、２４、・・・は、例えば、ターンシグナルランプ用として機能し、中央部分に配置されている。光源２５、２５、・・・は、例えば、テールランプ用として機能し、外周側に配置されている。
【００４１】
面状発光体２０の導電層の一部は端子部として設けられ、端子部にはフレキシブルプリント配線板等の配線板２６の一端部に設けられた接続端子部２６ａが接続されている。面状発光体２０の端子部と配線板２６の接続端子部２６ａとは、例えば、異方性導電フィルム（Anisotropic Conductive Film：ＡＣＦ）を用いて接続され、端子部と接続端子部２６ａの接続部分は、例えば、黒色にされている。配線板２６の他端部は図示しない回路基板等に接続されるコネクター部２６ｂとして設けられている。
【００４２】
第１の保持体２１は、例えば、有色の樹脂材料等によって形成され、前後に貫通された枠状部２７と枠状部２７から前方に突出された挿通ピン２８、２８、・・・とを有している。
【００４３】
枠状部２７は後方に凸になるように緩やかに屈曲（湾曲）されている。挿通ピン２８、２８、・・・は枠状部２７の周方向に離隔して位置されている。挿通ピン２８には先端面に開口された図示しないネジ穴が形成されている。
【００４４】
第２の保持体２２は、例えば、有色の樹脂材料等によって形成され、前後に貫通された環状部２９と環状部２９から前方に突出されたピン受部３０、３０、・・・と環状部２９からそれぞれ前方に突出された被取付突部３１、３２とを有している。
【００４５】
環状部２９は枠状部２７と同じ曲率で後方に凸になるように緩やかに屈曲され、枠状部２７と同じ大きさ及び形状に形成されている。ピン受部３０、３０、・・・は環状部２９の周方向に離隔して位置されている。ピン受部３０は円筒状に形成されている。
【００４６】
第２の保持体２２にはピン受部３０、３０、・・・と環状部２９におけるピン受部３０、３０、・・・に連続する部分とに亘ってそれぞれ前後に貫通されたピン挿入孔３３、３３、・・・が形成されている。
【００４７】
被取付突部３１は環状部２９に連続する連続部３１ａと連続部３１ａに対して外側に屈曲されたコネクター取付部３１ｂとから成る。被取付突部３１、３２は灯具１の一部を構成するランプハウジング２やブラケット等の他の部材に取り付けられる部分である。
【００４８】
インナーレンズ２３は透明な樹脂材料によって形成され、枠状部２７及び環状部２９と同じ曲率で後方に凸になるように緩やかに屈曲されている。インナーレンズ２３には、例えば、光の拡散機能を有する図示しない光制御ステップが形成されている。
【００４９】
インナーレンズ２３の上下両端部にはそれぞれ左右に離隔してピン挿通孔２３ａ、２３ａ、・・・が形成されている。インナーレンズ２３の上下両端部には前方に突出された位置決めピン２３ｂ、２３ｂ、・・・が設けられている。位置決めピン２３ｂ、２３ｂ、・・・は、例えば、二つずつが反対側の端部に形成され、二つずつがそれぞれ二つのピン挿通孔２３ａ、２３ａ間に位置されている。
【００５０】
面状発光体２０は後方に凸になるように緩やかに屈曲（湾曲）された状態で位置決め孔２０ｂ、２０ｂ、・・・にそれぞれインナーレンズ２３の位置決めピン２３ｂ、２３ｂ、・・・が後方から挿入され、インナーレンズ２３に対する位置決めが行われる。面状発光体２０がインナーレンズ２３に位置決めされた状態において、後方から第１の保持体２１の挿通ピン２８、２８、・・・が順にそれぞれインナーレンズ２３のピン挿通孔２３ａ、２３ａ、・・・と面状発光体２０の挿通孔２０ａ、２０ａ、・・・と第２の保持体２２のピン挿入孔３３、３３、・・・に挿入される。
【００５１】
挿通ピン２８、２８、・・・がピン挿入孔３３、３３、・・・に挿入された状態において、取付ネジ１００、１００、・・・がそれぞれ挿通ピン２８、２８、・・・のネジ穴に螺合され、第１の保持体２１と第２の保持体２２がインナーレンズ２３と面状発光体２０を前後から挟持した状態で結合され、面状発光体２０が屈曲された状態で第１の保持体２１と第２の保持体２２によって保持される。面状発光体２０はインナーレンズ２３と第２の保持体２２の環状部２９の屈曲状態に沿って屈曲され、後面がインナーレンズ２３の前面に密着され、前面が環状部２９に密着される。
【００５２】
第１の保持体２１と第２の保持体２２が結合された状態においては、枠状部２７と環状部２９の内側に面状発光体２０の光源２４、２４、・・・が位置され、枠状部２７と環状部２９の外側に面状発光体２０の光源２５、２５、・・・が位置される。従って、光源２４、２４、・・・から出射された光は枠状部２７の内側からターンシグナルランプ用の光として外部へ照射され、光源２５、２５、・・・から出射された光は環状部２９の外側からテールランプ用の光として外部へ照射される。このとき光源２４、２４、・・・と光源２５、２５、・・・から出射された光は、それぞれインナーレンズ２３の光制御ステップによって制御され、拡散されて外部へ向けて照射される。
【００５３】
第１の保持体２１と第２の保持体２２が結合されて面状発光体２０が保持された状態においては、面状発光体２０の端子部と配線板２６の接続端子部２６ａとの接続部分が、枠状部２７の一部によって後方から覆われる。
【００５４】
従って、面状発光体２０を保持する機能を有する第１の保持体２１によって黒色の接続部分が覆われるため、接続部分を覆う専用の部材を必要とせず、部品点数の削減を図った上で見栄えの向上を図ることができる。
【００５５】
また、第１の保持体２１と第２の保持体２２が結合されて面状発光体２０が保持された状態において、配線板２６は被取付突部３１と被取付突部３２の間に位置され、コネクター部２６ｂが他の部分に対して屈曲された状態で被取付突部３１のコネクター取付部３１ｂにネジ止め等によって取り付けられる（図４参照）。
【００５６】
このように他の部材に取り付けられる被取付突部３１にコネクター部２６ｂが取り付けられるため、コネクター部２６ｂを取り付けるための専用の部材を必要とせず、部品点数の削減を図った上で、配線板２６を保持することができる。
【００５７】
さらに、第２のランプユニット１９においては、枠状部２７と環状部２９が面状発光体２０を厚み方向における両側から挟んだ状態で結合される。
【００５８】
従って、面状発光体２０は環状の領域が第１の保持体２１と第２の保持体２２に両側から押さえられた状態で保持されるため、面状発光体２０の安定した保持状態を確保することができる。
【００５９】
さらにまた、面状発光体２０には挿通孔２０ａが形成され、第１の保持体２１に挿通ピン２８が設けられ、挿通孔２０ａに挿通ピン２８が挿通された状態で面状発光体２０が保持される。
【００６０】
従って、挿通孔２０ａに挿通ピン２８が挿通されることにより、面状発光体２０が第１の保持体２１と第２の保持体２２から脱落しないため、面状発光体２０を安定した状態で保持することができる。
【００６１】
尚、上記には、第１の保持体２１に挿通ピン２８が設けれた例を示したが、逆に、第２の保持体に挿通孔２０ａに挿通される挿通ピンが設けられていてもよい。また、上記には、第１の保持体２１が第２の保持体２２の後方に位置された例を示したが、逆に、第１の保持体２１が第２の保持体２２の前方に位置されてもよく、この場合に第２の保持体２２の一部によって面状発光体２０の端子部と配線板２６の接続端子部２６ａとの接続部分が後方から覆われてもよい。
【００６２】
＜第３のランプユニット＞
次に、第３のランプユニットについて説明する（図５及び図６参照）。
【００６３】
第３のランプユニット３９は面状発光体４０と一対の第１の保持体４１、４１と一対の第２の保持体４２、４２とを有している。
【００６４】
面状発光体４０は面状発光体１０と同様の層構成及び構造にされて後面が出光面として形成され、屈曲可能にされている。面状発光体４０の上下両端部にはそれぞれ挿通孔４０ａ、４０ａ、・・・が左右に離隔して形成されている。
【００６５】
面状発光体４０には図示しない複数の光源が点在して配置されている。面状発光体４０の導電層の一部は端子部として設けられ、端子部にはフレキシブルプリント配線板等の図示しない配線板に設けられた接続端子部が接続されている。
【００６６】
第１の保持体４１は樹脂材料等によって形成され、後方に凸になるように緩やかに屈曲され左右に延びる形状に形成されたベース部４３とベース部４３からそれぞれ前方に突出された挿入突部４４、４４とを有している。挿入突部４４、４４はベース部４３の長手方向に離隔して設けられている。第１の保持体４１には挿入突部４４の中央部から前方に突出された挿通ピン４５が設けられている。
【００６７】
第２の保持体４２は樹脂材料等によって形成され、ベース部４３と同じ曲率で後方に凸になるように緩やかに屈曲され左右に延びる形状に形成された基部４６を有し、基部４６の各一部が前方に突出された突状部４７、４７として設けられている。突状部４７、４７は基部４６の長手方向に離隔して設けられている。突状部４７の後面側には後方に開口された凹部４７ａが形成され、突状部４７にはピン挿入孔４８、４８が形成されている。ピン挿入孔４８は凹部４７ａに連通されている。
【００６８】
尚、第１の保持体４１又は第２の保持体４２の少なくとも一方は、灯具１の一部を構成するランプハウジング２やブラケット等の他の部材に取り付けられる。また、第３のランプユニット３９においても、第２のランプユニット１９と同様に光制御ステップを有するインナーレンズが設けられ、面状発光体４０の光源から出射された光がインナーレンズを透過されて外部へ照射されてもよい。
【００６９】
面状発光体４０は、例えば、上端部と下端部がそれぞれ第１の保持体４１、４１と第２の保持体４２、４２に挟持されて、以下のように保持される。
【００７０】
面状発光体４０は後方に凸になるように緩やかに屈曲（湾曲）された状態で、後方から第１の保持体４１の挿通ピン４５、４５がそれぞれ順に面状発光体４０の挿通孔４０ａ、４０ａと第２の保持体４２のピン挿入孔４８、４８に挿入される。このとき第１の保持体４１の挿入突部４４、４４がそれぞれ第２の保持体４２の凹部４７ａ、４７ａに挿入される。
【００７１】
挿通ピン４５、４５がピン挿入孔４８、４８に挿入された状態において、それぞれ挿通ピン４５、４５が熱カシメ等によって変形され、第１の保持体４１と第２の保持体４２が面状発光体４０を前後から挟持した状態で結合され、面状発光体４０が屈曲された状態で保持される。面状発光体４０は第１の保持体４１のベース部４３と第２の保持体４２の基部４６との屈曲状態に沿って屈曲され、後面がベース部４３の後面に密着され、前面が基部４６の後面に密着される。
【００７２】
上記のように、面状発光体４０には挿通孔４０ａが形成され、第１の保持体４１に挿通ピン４５が設けられ、挿通孔４０ａに挿通ピン４５が挿通された状態で面状発光体４０が保持される。
【００７３】
従って、挿通孔４０ａに挿通ピン４５が挿通されることにより、面状発光体４０が第１の保持体４１と第２の保持体４２から脱落しないため、面状発光体４０を安定した状態で保持することができる。
【００７４】
尚、上記には、第１の保持体４１に挿通ピン４５が設けれた例を示したが、逆に、第２の保持体に挿通孔４０ａに挿通される挿通ピンが設けられていてもよい。また、上記には、第１の保持体４１が第２の保持体４２の後方に位置された例を示したが、逆に、第１の保持体４１が第２の保持体４２の前方に位置されてもよい。
【００７５】
＜第４のランプユニット＞
次に、第４のランプユニットについて説明する（図７及び図８参照）。
【００７６】
第４のランプユニット５９は面状発光体６０と一対の第１の保持体６１、６１と一対の第２の保持体６２、６２とを有している。
【００７７】
面状発光体６０は面状発光体１０と同様の層構成及び構造にされて後面が出光面として形成され、屈曲可能にされている。面状発光体６０の上下両端部には孔形成部６０ａ、６０ａ、・・・が左右に離隔して設けられている。孔形成部６０ａは一端が上端又は下端に連続するスリット６０ｂとスリット６０ｂに直交するスリット６０ｃとに囲まれた部分である。孔形成部６０ａには挿通孔６０ｄが形成されている。面状発光体６０の上下両端部には孔形成部６０ａ、６０ａの左方又は右方にそれぞれ位置決め孔６０ｅ、６０ｅが形成されている。
【００７８】
孔形成部６０ａ、６０ａ、・・・はそれぞれスリット６０ｂ、６０ｂ、・・・とスリット６０ｃ、６０ｃ、・・・に囲まれた部分であるため、面状発光体６０の他の部分に対して厚み方向において折曲可能にされている。
【００７９】
面状発光体６０には図示しない複数の光源が点在して配置されている。面状発光体６０の導電層の一部は端子部として設けられ、端子部にはフレキシブルプリント配線板等の図示しない配線板に設けられた接続端子部が接続されている。
【００８０】
第１の保持体６１は樹脂材料等によって形成され、後方に凸になるように緩やかに屈曲され左右に延びる形状に形成されたベース部６３とベース部６３からそれぞれ前方に突出された受け台部６４、６４とを有している。受け台部６４、６４はベース部６３の長手方向に離隔して設けられ、ベース部６３の前面に連続する平面状の受け面６４ａ、６４ａを有している。第１の保持体６１には受け台部６４の受け面６４ａから前方に突出された挿通ピン６５が設けられている。
【００８１】
第１の保持体６１の上下両端部には受け台部６４、６４の左方又は右方にそれぞれ位置決めピン６１ａ、６１ａが設けられている。
【００８２】
第２の保持体６２は樹脂材料等によって形成され、ベース部６３と同じ曲率で後方に凸になるように緩やかに屈曲され左右に延びる形状に形成された基部６６を有している。基部６６には後方に開口された凹部６６ａ、６６ａが左右に離隔して形成されている。
【００８３】
基部６６にはそれぞれ凹部６６ａ、６６ａに連通するピン挿入孔６７、６７が形成されている。基部６６にはピン挿入孔６７、６７の左方又は右方に位置決め孔６８が形成されている。
【００８４】
尚、第１の保持体６１又は第２の保持体６２の少なくとも一方は、灯具１の一部を構成するランプハウジング２やブラケット等の他の部材に取り付けられる。また、第４のランプユニット５９においても、第２のランプユニット１９と同様に光制御ステップを有するインナーレンズが設けられ、面状発光体６０の光源から出射された光がインナーレンズを透過されて外部へ照射されてもよい。
【００８５】
面状発光体６０は、例えば、上端部と下端部がそれぞれ第１の保持体６１、６１と第２の保持体６２、６２に挟持されて、以下のように保持される。
【００８６】
面状発光体６０が後方に凸になるように緩やかに屈曲（湾曲）された状態で、後方から第１の保持体６１の位置決めピン６１ａが面状発光体６０の位置決め孔６０ｅと第２の保持体６２の位置決め孔６８とに挿入される。位置決めピン６１ａが位置決め孔６０ｅと位置決め孔６８に挿入されることにより、面状発光体６０と第２の保持体６２の第１の保持体６１に対する位置決めが行われる。面状発光体６０が第１の保持体６１に対して位置決めされた状態において、挿通ピン６５、６５がそれぞれ順に面状発光体６０の挿通孔６０ｄ、６０ｄと第２の保持体６２のピン挿入孔６７、６７に挿入される。このとき孔形成部６０ａ、６０ａが面状発光体６０の他の部分に対して折り曲げられ、挿通ピン６５、６５が孔形成部６０ａ、６０ａに対してそれぞれ垂直方向から挿通孔６０ｄ、６０ｄに挿入され、孔形成部６０ａ、６０ａはそれぞれ受け台部６４、６４の受け面６４ａ、６４ａに面接触される。また、第１の保持体６１の受け台部６４、６４はそれぞれ第２の保持体６２の凹部６６ａ、６６ａに挿入される。
【００８７】
挿通ピン６５、６５がピン挿入孔６７、６７に挿入された状態において、それぞれ挿通ピン６５、６５が熱カシメ等によって変形され、第１の保持体６１と第２の保持体６２が面状発光体６０を前後から挟持した状態で結合され、面状発光体６０が屈曲された状態で保持される。面状発光体６０は第１の保持体６１のベース部６３と第２の保持体６２の基部６６との屈曲状態に沿って屈曲され、後面がベース部６３の前面に密着され、前面が基部６６の後面に密着される。
【００８８】
上記のように、面状発光体６０には挿通孔６０ｄが形成され、第１の保持体６１に挿通ピン６５が設けられ、挿通孔６０ｄに挿通ピン６５が挿通された状態で面状発光体６０が保持される。
【００８９】
従って、挿通孔６０ｄに挿通ピン６５が挿通されることにより、面状発光体６０が第１の保持体６１と第２の保持体６２から脱落しないため、面状発光体６０を安定した状態で保持することができる。
【００９０】
また、第４のランプユニット５９においては、面状発光体６０における挿通孔６０ｄが形成された部分が孔形成部６０ａとして設けられ、孔形成部６０ａの周囲の一部にスリット６０ｂ、６０ｃが形成され、孔形成部６０ａが孔形成部６０ａ以外の部分に対して折曲可能にされている。
【００９１】
従って、孔形成部６０ａを挿通ピン６５の突出方向に合わせて折り曲げた状態で挿通孔６０ｄに挿通ピン６５を挿通することが可能になるため、挿通ピン６５の向きに拘わらず挿通孔６０ｄに挿通ピン６５を挿通することができる。
【００９２】
特に、第１の保持体６１が金型を用いた射出成形によって形成される場合には、挿通ピン６５、６５の受け台部６４、６４からの突出方向が金型の離型方向に応じた一方向になるが、面状発光体６０の全体を屈曲させた状態においても孔形成部６０ａ、６０ａを面状発光体６０の他の部分に対して折り曲げることにより挿通孔６０ｄ、６０ｄの軸方向を挿通ピン６５、６５の突出方向に合わせることができる。
【００９３】
従って、面状発光体６０の全体を屈曲させた状態においても、孔形成部６０ａを挿通ピン６５の突出方向に合わせて折り曲げた状態で挿通孔６０ｄに挿通ピン６５を挿通することが可能になるため、面状発光体６０の第１の保持体６１への組付作業を適正かつ容易に行うことができる。
【００９４】
尚、上記には、第１の保持体６１に挿通ピン６５が設けれた例を示したが、逆に、第２の保持体に挿通孔６０ｄに挿通される挿通ピンが設けられていてもよい。また、上記には、第１の保持体６１が第２の保持体６２の後方に位置された例を示したが、逆に、第１の保持体６１が第２の保持体６２の前方に位置されてもよい。
【００９５】
＜第４のランプユニットにおける変形例＞
上記には、第１の保持体６１の挿通ピン６５が第２の保持体６２に形成されたピン挿入孔６７に挿入されて面状発光体６０が第１の保持体６１と第２の保持体６２に挟持される例を示したが、第２の保持体６２にピン挿入孔６７が形成されておらず、挿通ピン６５が面状発光体６０の挿通孔６０ｄに挿通された状態で熱カシメ等により面状発光体６０が第１の保持体６１に取り付けられてもよい（図９参照）。
【００９６】
この場合には、第２の保持体６２の凹部６６ａが挿通ピン６５の先端部に干渉しない大きさに形成され、第１の保持体６１と第２の保持体６２がネジ止め等の適宜の手段によって結合される。
【００９７】
＜第５のランプユニット＞
次に、第５のランプユニットについて説明する（図１０及び図１１参照）。
【００９８】
第５のランプユニット７９は、面状発光体８０と第１の保持体８１と第２の保持体８２を有している。
【００９９】
面状発光体８０は面状発光体１０と同様の層構成及び構造にされて後面が出光面として形成され、屈曲可能にされている。面状発光体８０は、図示しない複数の光源が点在して配置されている本体部８０ａと、本体部８０ａの外周の一部から突出され本体部８０ａに対して屈曲可能にされている突出部８０ｂとを有している。
【０１００】
本体部８０ａの上下方向における略中央部には挿通孔８０ｃ、８０ｃが左右に離隔して形成されている。本体部８０ａの上下方向における略中央部には、位置決め孔８０ｄが形成されている。位置決め孔８０ｄは挿通孔８０ｃ、８０ｃの間に位置されている。
【０１０１】
突出部８０ｂの導電層の一部は端子部として設けられ、端子部には配線板８３の一端部に設けられた接続端子部８３ａが接続されている。配線板８３の他端部は図示しない回路基板等に接続されるコネクター部８３ｂとして設けられている。
【０１０２】
第１の保持体８１は樹脂材料等によって形成され、後方に凸になるように緩やかに屈曲され左右に延びる形状に形成された第１の基部８４と第１の基部８４の長手方向における一端部から前方に突出され平板状に形成された第１の保護部８５とを有している。第１の基部８４と第１の保護部８５は一体に形成されている。
【０１０３】
第１の保持部８１の上下方向における略中央部には、形状保持リブ８１ａが後方に突出して設けられている。形状保持リブ８１ａは、長手方向における第１の基部８４側の端部から第１の保護部８５に亘って形成され、第１の基部８４と第１の保護部８５の形状に合わせて一部が屈曲されている。形状保持リブ８１ａが形成されていることにより、第１の保持部８１の強度が高くされている。
【０１０４】
第１の保持体８１には、第１の基部８４から前方に突出された挿通ピン８６、８６と位置決めピン８７とが設けられている。挿通ピン８６、８６は左右方向に離隔して位置されている。位置決めピン８７は挿通ピン８６、８６の間に位置されている。挿通ピン８６、８６は、第１の基部８４に連続する挿通部８６ａ、８６ａと、挿通部８６ａ、８６ａの先端部から左右何れかの方向に突出された係止突部８６ｂ、８６ｂとを有している。
【０１０５】
第１の保護部８５において第１の基部８４の前面に連続する面は、第１の対向面８５ａとして形成されている。第１の保護部８５の前端部における上下両端部は、第２の保持体８２に嵌合される嵌合部８５ｂ、８５ｂとして設けられている。
【０１０６】
第２の保持体８２は樹脂材料等によって形成され、第１の基部８４と同じ曲率で後方に凸になるように緩やかに屈曲され左右に延びる形状に形成された第２の基部８８と第２の基部８８の長手方向における一端部から前方に突出された第２の保護部８９とを有している。第２の基部８８と第２の保護部８９は一体に形成されている。
【０１０７】
第２の基部８８には、ピン挿通孔８８ａ、８８ａが左右に離隔して形成されている。ピン挿通孔８８ａ、８８ａの間には、位置決め孔８８ｂが形成されている。第２の保持体８２には、第２の基部８８から前方に突出された係止壁部８８ｃ、８８ｃが設けられている。係止壁部８８ｃ、８８ｃは、それぞれピン挿通孔８８ａ、８８ａに隣接して位置されている。
【０１０８】
第２の保護部８９には、第２の基部８８から前方に突出され左右方向を向く対向面部８９ａが設けられている。対向面部８９ａの第２の基部８８と反対側を向く面は、第２の対向面８９ｂとして形成されている。対向面部８９ａは、前半部の上下両端が後半部の上下両端より上下方向において外側に位置されている。
【０１０９】
対向面部８９ａにおける後半部の上下両端部からは、側壁部８９ｃ、８９ｃが第２の基部８８と反対側に突出されている。対向面部８９ａにおける前半部の上下両端部からは、保護壁部８９ｄ、８９ｄが第２の基部８８と反対側に突出されている。
【０１１０】
保護壁部８９ｄ、８９ｄの左右方向における一端部からは、支持部８９ｅ、８９ｅが第１の基部８８と反対側に突出されている。支持部８９ｅ、８９ｅには後方に開口された凹部８９ｆ、８９ｆが形成されている。凹部８９ｆ、８９ｆには、それぞれ第１の保持体８１の嵌合部８５ｂ、８５ｂが嵌合される。
【０１１１】
保護壁部８９ｄ、８９ｄには螺穴を有する被取付部８９ｇ、８９ｇが設けられている。被取付部８９ｇ、８９ｇは、例えば、ネジ等によって、灯具１の一部を構成するランプハウジング２やブラケット等の他の部材に取り付けられる。
【０１１２】
面状発光体８０は、上下方向における略中央部が第１の保持体８１と第２の保持体８２に挟持されて、以下のように保持される。
【０１１３】
面状発光体８０は、第１の保持体８１の挿通ピン８６、８６と位置決めピン８７がそれぞれ後方から挿通孔８０ｃ、８０ｃと位置決め孔８０ｄに挿入され、第１の保持体８１の第１の基部８４に対して位置決めされる。このとき、面状発光体８０の本体部８０ａが第１の基部８４の前面に接した状態にされ、配線板８３が第１の保護部８５の第１の対向面８５ａに対向して位置される。
【０１１４】
面状発光体８０が第１の基部８４に対して位置決めされた状態において、第１の基部８４の挿通ピン８６、８６と位置決めピン８７がそれぞれ後方から第２の基部８８の挿通孔８８ａ、８８ａと位置決め孔８８ｂに挿入される。このとき挿通ピン８６、８６は係止壁部８８ｃ、８８ｃに摺動されて弾性変形された後に弾性復帰され、係止突部８６ｂ、８６ｂがそれぞれ第２の基部８８における係止壁部８８ｃ、８８ｃの先端面に係止され、第１の基部８４と第２の基部８８が面状発光体８０を挟んだ状態で結合される。面状発光体８０は第１の基部８４と第２の基部８８の屈曲状態に合わせて屈曲され、厚み方向における両側から第１の基部８４と第２の基部８８によって挟持される。
【０１１５】
また、第１の保持体８１の挿通ピン８６、８６が挿通孔８８ａ、８８ａに挿入される際に、第１の保護部８５の嵌合部８５ｂ、８５ｂが第２の保護部８９の凹部８９ｆ、８９ｆに挿入されて嵌合される。嵌合部８５ｂ、８５ｂが凹部８９ｆ、８９ｆに嵌合されることで、第１の保護部８５と第２の保護部８９が結合される。第５のランプユニット７９においては、第１の基部８４と第２の基部８８が結合されると共に第１の保護部８５と第２の保護部８９が結合されることで、第１の保持体８１と第２の保持体８２が結合される。
【０１１６】
第１の保護部８５と第２の保護部８９が結合された状態において、第１の対向面８５ａと第２の対向面８９ｂと側壁部８９ｃ、８９ｃと保護壁部８９ｄ、８９ｄによって、配線板８３を配置するための配置空間Ｓが形成される。配置空間Ｓには、配線板８３の少なくとも一部が面状発光体８０に対して屈曲された状態で配置される。
【０１１７】
配線板８３の厚み方向における両側には、第１の対向面８５ａと第２の対向面８９ｂとが配線板８３に対向して位置される。このように第１の対向面８５ａと第２の対向面８９ｂが配線板８３に対向して位置されることにより配線板８３が第１の保護部８５と第２の保護部８９によって保護され、配線板８３が保護されることで、面状発光体８０の配線板８３に対する安定した給電状態を確保することができる。
【０１１８】
また、配線板８３のコネクター部８３ｂの上下方向における両側には、保護壁部８９ｄ、８９ｄが位置されている。このように保護壁部８９ｄ、８９ｄがコネクター部８３ｂの上下方向における両側に位置されることによりコネクター部８３ｂが第１の保護部８５と第２の保護部８９によって保護され、コネクター部８３ｂが保護されることで、外部からの安定した給電状態を確保することができる。
【０１１９】
さらに、上記した第１の保持体８１と第２の保持体８２にあっては、それぞれ面状発光体８０を保持する機能を有する第１の基部８４及び第２の基部８８と配線板８３を保護する機能を有する第１の保護部８５及び第２の保護部８９とが一体に形成されている。
【０１２０】
従って、配線板８３が面状発光体８０を保持する機能を有する第１の保持体８１と第２の保持体８２によって保護されるため、配線板８３を保持する専用の部材を必要とせず、部品点数の増加を抑えつつ、配線板８３を保護することができる
【０１２１】
尚、上記には、第１の保持体８１に挿通ピン８６が設けられ第２の保持体８２に挿通孔８８ａが形成された例を示したが、逆に、第２の保持体８２に挿通ピンが設けられ、第１の保持体８１に挿通孔が形成されていてもよい。また、上記には、第１の保持体８１に位置決めピン８７が設けられ、第２の保持体８２に位置決め孔８８ｂが形成された例を示したが、逆に、第２の保持体８２に位置決めピンが設けられ、第１の保持体８１に位置決め孔が形成されていてもよい。
【０１２２】
さらに、上記には、第２の保持体８２の第２の保護部８９に側壁部８９ｃと保護壁部８９ｄが設けられた例を示したが、逆に、第１の保持体８１の第１の保護部８５に第１の基部８４側に突出された側壁部及び保護壁部が設けられていてもよい。
【０１２３】
尚、上記には、第１の保持体８１の第１の基部８４と第１の保護部８５が一体に形成され、第２の保持体８２の第２の基部８８と第２の保護部８９が一体に形成されている例を示したが、第１の保持体８１において第１の基部８４と第１の保護部８５が別部材によって形成され、第２の保持体８２において第２の基部８８と第２の保護部８９が別部材によって形成されていてもよい。
【０１２４】
＜第５のランプユニットにおける変形例＞
第５のランプユニット７９においては、第１の保持体８１又は第２の保持体８２に固定ピンが設けられ、配線板８３が固定ピンによって第１の保持体８１又は第２の保持体８２に対して固定されていてもよい。
【０１２５】
図１２に示した例において、第１の保持体８１には第１の保護部８５の第１の対向面８５ａから突出された固定ピン９０が設けられ、配線板８３には固定ピン９０が挿通される図示しない固定孔が形成されている。第１の保持体８１の固定ピン９０が固定孔に挿入され熱カシメ等が行われることで、配線板８３は第１の保持体８１に固定される。尚、固定ピン９０は固定孔に挿入可能な位置であれば第１の基部８４から突出されていてもよい。
【０１２６】
配線板８３が固定ピン９０によって第１の保持体８１に固定されることによって、配線板８３が面状発光体８０から剥がれ難くなり、面状発光体８０に対する配線板８３の安定した接続状態を確保することができる。
【０１２７】
＜まとめ＞
以上に記載した通り、灯具１にあっては、面状発光体１０、２０、４０、６０、８０が屈曲された状態で第１の保持体１１、２１、４１、６１、８１と第２の保持体１２、２２、４２、６２、８２に保持される。
【０１２８】
従って、面状発光体１０、２０、４０、６０、８０が第１の保持体１１、２１、４１、６１、８１と第２の保持体１２、２２、４２、６２、８２によって厚み方向における両側から挟まれることにより屈曲された状態で保持されるため、面状発光体１０、２０、４０、６０、８０を簡素な構造によって安定した状態で保持することができる。
【０１２９】
尚、面状発光体１０、２０、４０、６０、８０は、全体が屈曲された状態で第１の保持体１１、２１、４１、６１、８１と第２の保持体１２、２２、４２、６２、８２によって保持されてもよく、また、一部が屈曲された状態で第１の保持体１１、２１、４１、６１、８１と第２の保持体１２、２２、４２、６２、８２によって保持されてもよい。
【符号の説明】
【０１３０】
１…灯具、１０…面状発光体、１１…第１の保持体、１２…第２の保持体、２０…面状発光体、２０ａ…挿通孔、２１…第１の保持体、２２…第２の保持体、２６…配線板、２６ａ…接続端子部、２７…枠状部、２８…挿通ピン、２９…環状部、４０…面状発光体、４０ａ…挿通孔、４１…第１の保持体、４２…第２の保持体、４５…挿通ピン、６０…面状発光体、６０ａ…孔形成部、６０ｂ…スリット、６０ｃ…スリット、６０ｄ…挿通孔、６１…第１の保持体、６２…第２の保持体、６５…挿通ピン、８０…面状発光体、８１…第１の保持体、８２…第２の保持体、８３…配線板、８４…第１の基部、８５…第１の保護部、８８…第１の基部、８９…第２の保護部
【図１】
2018160449.tif 000003
【図２】
2018160449.tif 000004
【図３】
2018160449.tif 000005
【図４】
2018160449.tif 000006
【図５】
2018160449.tif 000007
【図６】
2018160449.tif 000008
【図７】
2018160449.tif 000009
【図８】
2018160449.tif 000010
【図９】
2018160449.tif 000011
【図１０】
2018160449.tif 000012
【図１１】
2018160449.tif 000013
【図１２】
2018160449.tif 000014